(57)【要約】【課題】  貯湯式給湯システムにおいて混合手段の混合比を適切な範囲に維持する。【解決手段】  貯湯式給湯システムは、貯湯タンクと、給水経路と、給水経路の水温を検出する手段と、熱源機と、貯湯タンクと熱源機との間で温水を循環させる循環経路と、循環経路から貯湯タンクに流入する温水の温度を検出する循環出口温度検出手段と、貯湯タンクから給湯する給湯経路と、給湯経路の温水に給水経路からの水を混合する混合手段と、給湯経路の水温を混合手段よりも下流側で検出する出湯温度検出手段と、出湯温度検出手段の検出温度が給湯設定温度となるように混合手段の混合比を調整する手段と、給水温度検出手段の検出温度と給湯設定温度に基づいて貯湯上限温度を設定する手段と、循環出口温度検出手段の検出温度が貯湯上限温度以下となるように、熱源機の発熱量又は循環経路の流量を調整する手段を備える。【選択図】  図１
2008045842.tif 000002
【特許請求の範囲】
【請求項１】
温水を貯湯する貯湯タンクと、
貯湯タンクに給水する給水経路と、
給水経路の水温を検出する給水温度検出手段と、
熱源機と、
貯湯タンクと熱源機との間で温水を循環させる循環経路と、
循環経路から貯湯タンクに流入する温水の温度を検出する循環出口温度検出手段と、
貯湯タンクから給湯する給湯経路と、
給湯経路の温水に給水経路からの水を混合するとともに、給湯経路の温水に対して給水経路から混合する水の割合である混合比を調整可能な混合手段と、
給湯経路の水温を混合手段よりも下流側で検出する出湯温度検出手段と、
出湯温度検出手段によって検出される温度が、所定の給湯設定温度となるように、混合手段の混合比を調整する混合比制御手段と、
給水温度検出手段によって検出された温度と、給湯設定温度に基づいて、貯湯上限温度を設定する制限温度設定手段と、
循環出口温度検出手段によって検出される温度が、設定された貯湯上限温度以下となるように、熱源機の発熱量及び／又は循環経路の流量を調整する加熱制御手段と、
を備える貯湯式給湯システム。
【請求項２】
前記制限温度設定手段が設定する貯湯上限温度は、その貯湯上限温度の温水に対して、前記給水温度検出手段によって検出された温度の水を第１所定比で混合したときに、前記給湯設定温度の温水が得られる温度であることを特徴とする請求項１の貯湯式給湯システム。
【請求項３】
前記制限温度設定手段は、前記給水温度検出手段によって検出された温度と、前記給湯設定温度に基づいて、貯湯下限温度をさらに設定し、
前記加熱制御手段は、前記循環出口温度検出手段によって検出される温度が、設定された貯湯下限温度以上となるように、前記熱源機の発熱量又は前記循環経路の流量を調整することを特徴とする請求項１又は２の貯湯式給湯システム。
【請求項４】
前記制限温度設定手段が設定する貯湯下限温度は、その貯湯下限温度の温水に対して、前記給水温度検出手段によって検出された温度の水を第２所定比で混合したときに、前記給湯設定温度の温水が得られる温度であることを特徴とする請求項３の貯湯式給湯システム。
【請求項５】
前記給水経路の流量を検出する給水流量検出手段と、
前記循環経路の流量を検出する循環流量検出手段と、
前記貯湯タンクから前記循環経路に流出する温水の温度を検出する循環入口温度検出手段をさらに備え、
前記加熱制御手段は、前記給水流量検出手段によって検出された流量と、前記給水温度検出手段によって検出された温度と、前記出湯温度検出手段によって検出された温度から計算した給湯に伴って貯湯タンクから消費されている消費熱量が、前記循環流量検出手段によって検出された流量と、前記循環入口温度検出手段によって検出された温度と、前記循環出口温度検出手段によって検出された温度から計算した熱源機から貯湯タンクに供給されている供給熱量を越えるときに、前記熱源機の発熱量を増大させることを特徴とする請求項１から４のいずれかの貯湯式給湯システム。
【請求項６】
前記循環経路の前記熱源機から前記貯湯タンクに温水を送る経路が通過する暖房用熱交換器と、
前記循環経路を通って暖房用熱交換器に流入する温水の温度を検出する暖房流入温度検出手段と、
暖房箇所に設けられる暖房端末機と、
暖房端末機と暖房用熱交換器との間で熱媒を循環させる暖房循環経路をさらに備え、
前記加熱制御手段は、暖房流入温度検出手段によって検出される温度が、所定の暖房規定温度となるように、前記熱源機の発熱量と前記循環経路の流量を調整することを特徴とする請求項１から５のいずれかの貯湯式給湯システム。
【請求項７】
前記暖房循環経路の前記暖房用熱交換器から前記暖房端末機に前記熱媒を送る経路から分岐し、前記暖房循環経路の前記暖房端末機から前記暖房用熱交換器に前記熱媒を送る経路に合流する追焚き循環経路と、
追焚き循環経路が通過する追焚き用熱交換器と、
浴槽に接続され、浴槽と追焚き用熱交換器との間で温水を循環させる風呂循環経路をさらに備え、
前記加熱制御手段は、前記暖房流入温度検出手段によって検出される温度が、所定の追焚き規定温度となるように、前記熱源機の発熱量と前記循環経路の流量を調整することを特徴とする請求項６の貯湯式給湯システム。
【請求項８】
請求項１から７のいずれかの貯湯式給湯システムと、
発電装置と、
発電装置が発生する熱を入力する熱回収用熱交換器と、
貯湯タンクと熱回収用熱交換器との間で温水を循環させる第２循環経路と、
を備えるコージェネレーションシステム。
【発明の詳細な説明】
【技術分野】
【０００１】
本発明は、温水を貯湯する貯湯タンクを備える貯湯式給湯システムに関する。
【背景技術】
【０００２】
貯湯式給湯システムが知られている。貯湯式給湯システムは、温水を貯湯する貯湯タンクと、貯湯タンク内の温水を加熱する熱源機を備えている。貯湯式給湯システムは、貯湯タンク内の温水を熱源機によって加熱しておき、給湯時には貯湯タンク内の温水を給湯する。
特許文献１に、貯湯式給湯システムが開示されている。この貯湯式給湯システムは、貯湯タンクから給湯する温水に、水道水（冷水）を混合する混合手段を備えている。混合手段は、貯湯タンクから給湯する温水に対して混合する水道水の比（混合比）を調整可能となっている。この種の貯湯式給湯システムは、比較的に高温の温水を貯湯タンクに貯湯しておき、混合手段の混合比を調整することによって、給湯する温水の温度を調整する。
【０００３】
【特許文献１】特開２００２−０１３８１８号公報
【発明の開示】
【発明が解決しようとする課題】
【０００４】
必要とされる給湯温度（給湯設定温度）に比して、貯湯タンクから給湯する温水の温度が高すぎる場合、貯湯タンクから給湯する温水に対して多量の水道水を混合する必要が生じる。この場合、混合手段の混合比を比較的に大きな値に調整しなければならない。しかしながら、混合手段の構造上、混合手段には混合比の適正範囲が規定されている。混合手段の混合比を、その適正範囲を超えて調整しようとすると、例えば調整精度（分解能）が低下してしまい、給湯設定温度の温水を安定して給湯できなくなる。給湯設定温度の温水を安定して給湯するためには、混合手段の混合比を適正範囲内に維持して調整する必要がある。
本発明は、上記の課題を解決する。本発明は、混合手段の混合比を適正範囲内に維持しながら、給湯設定温度の温水を安定して給湯することを可能とする技術を提供する。
【課題を解決するための手段】
【０００５】
本発明によって具現化される貯湯式給湯システムは、温水を貯湯する貯湯タンクと、貯湯タンクに給水する給水経路と、給水経路の水温を検出する給水温度検出手段と、熱源機と、貯湯タンクと熱源機との間で温水を循環させる循環経路と、循環経路から貯湯タンクに流入する温水の温度を検出する循環出口温度検出手段と、貯湯タンクから給湯する給湯経路と、給湯経路の温水に給水経路からの水を混合するとともに、給湯経路の温水に対して給水経路から混合する水の割合である混合比を調整可能な混合手段と、給湯経路の水温を混合手段よりも下流側で検出する出湯温度検出手段と、出湯温度検出手段によって検出される温度が、所定の給湯設定温度となるように、混合手段の混合比を調整する混合比制御手段と、給水温度検出手段によって検出された温度と、給湯設定温度に基づいて、貯湯上限温度を設定する制限温度設定手段と、循環出口温度検出手段によって検出される温度が、設定された貯湯上限温度以下となるように、熱源機の発熱量及び／又は循環経路の流量を調整する加熱制御手段を備えている。
【０００６】
混合手段の混合比、即ち、混合手段が給湯経路の温水に対して給水経路から混合する水の比は、貯湯タンクから給湯経路に流出した温水の温度と、給水経路から給湯経路の温水に混合される水の温度と、混合後の温水の目標温度である給湯設定温度に応じて変化する。従って、貯湯タンクから給湯経路に流出する温水の温度範囲を、給水経路の水温と給湯設定温度に応じて制限することができれば、混合手段の混合比を適正な範囲内に維持しながら調整することが可能となる。例えば、給水経路の水温と給湯設定温度に応じて、貯湯タンクから給湯経路に流出する温水の上限温度を制限すれば、混合手段の混合比を所定値以下に維持しながら、給湯経路の温水を給湯設定温度に調整することが可能となる。また、給水経路の水温と給湯設定温度に応じて、貯湯タンクから給湯経路に流出する温水の下限温度を制限すれば、混合手段の混合比を所定値以上に維持しながら、給湯経路の温水を給湯設定温度に調整することが可能となる。
【０００７】
本発明によって具現化される貯湯式給湯システムは、給水経路の水温と給湯設定温度に応じて、貯湯上限温度を設定する。そして、貯湯タンク内の温水を熱源機に送り出し、熱源機で加熱して貯湯タンクに戻す温水の温度を、設定した貯湯上限温度以下に制限する。それにより、貯湯タンクに貯湯しておく温水の温度が貯湯上限温度以下に制限され、貯湯タンクから給湯経路に流出する温水の温度も貯湯上限温度以下に制限される。貯湯タンクから給湯経路に流出する温水の上限温度を、給水経路の水温と給湯設定温度に応じて制限することが可能であり、混合手段の混合比を所定値以下に維持しながら、給湯経路の温水を給湯設定温度に調整することができる。
この貯湯式給湯システムによれば、混合手段の混合比を過大な値に調整することなく、給湯する温水の温度を給湯設定温度に正しく調整することができる。
【０００８】
上記の貯湯式給湯システムにおいて、制限温度設定手段が設定する貯湯上限温度は、その貯湯上限温度の温水に対して、給水温度検出手段によって検出された温度の水を第１所定比で混合したときに、前記給湯設定温度の温水が得られる温度であることが好ましい。
この貯湯式給湯システムでは、混合手段の混合比を第１所定比以下に維持しながら、給湯経路の温水を給湯設定温度に調整することができる。第１所定比には、例えば混合手段の混合比に関する適正範囲の上限値を設定することができる。
【０００９】
上記の貯湯式給湯システムにおいて、制限温度設定手段は、給水温度検出手段によって検出された温度と、前記所定の給湯設定温度に基づいて、貯湯下限温度をさらに設定することが好ましい。この場合、加熱制御手段は、循環出口温度検出手段によって検出される温度が、設定された貯湯下限温度以上となるように、熱源機の発熱量及び／又は循環経路の流量を調整することが好ましい。
この貯湯式給湯システムは、混合手段の混合比を所定値以上に維持しながら、給湯経路の温水を給湯設定温度に調整することができる。混合手段の混合比を過小な値に調整することなく、給湯する温水の温度を給湯設定温度に正しく調整することができる。
【００１０】
上記の貯湯式給湯システムにおいて、制限温度設定手段が設定する貯湯下限温度は、その貯湯下限温度の温水に対して、給水温度検出手段によって検出された温度の水を第２所定比で混合したときに、前記給湯設定温度の温水が得られる温度であることが好ましい。
この貯湯式給湯システムでは、混合手段の混合比を第２所定比以上に維持しながら、給湯経路の温水を給湯設定温度に調整することができる。第２所定比には、例えば混合手段の混合比に関する適正範囲の下限値を設定することができる。
【００１１】
上記の貯湯式給湯システムは、給水経路の流量を検出する給水流量検出手段と、循環経路の流量を検出する循環流量検出手段と、貯湯タンクから循環経路に流出する温水の温度を検出する循環入口温度検出手段をさらに備えることが好ましい。この場合、加熱制御手段は、給水流量検出手段によって検出された流量と、給水温度検出手段によって検出された温度と、出湯温度検出手段によって検出された温度を用いて計算する給湯に伴って貯湯タンクから消費されている消費熱量が、循環流量検出手段によって検出された流量と、循環入口温度検出手段によって検出された温度と、循環出口温度検出手段によって検出された温度を用いて計算する熱源機から貯湯タンクに供給されている供給熱量を越えているときに、熱源機の発熱量を増大させることが好ましい。
貯湯式給湯システムでは、給湯に伴って貯湯タンクから消費されている消費熱量が、熱源機から貯湯タンクに供給されている供給熱量を越えていると、貯湯タンク内の温水温度は低下していく。この状態が継続すれば、貯湯タンク内の温水温度が給湯設定温度を下回ってしまい、給湯設定温度の温水を給湯することができなくなってしまう。
この貯湯式給湯システムでは、給湯に伴って貯湯タンクから消費されている消費熱量が、熱源機から貯湯タンクに供給されている供給熱量を越えているときに、熱源機の発熱量を増大させることによって、熱源機から貯湯タンクに供給される供給熱量を増大させる。それにより、貯湯タンク内の温水温度が低下することを抑制する。熱源機の発熱量は、循環出口温度検出手段によって検出される温度が貯湯上限温度を超えない範囲で、段階的にあるいは最大限に増大させることができる。
【００１２】
上記の貯湯式給湯システムは、循環経路の熱源機から貯湯タンクに温水を送る経路が通過する暖房用熱交換器と、循環経路を通って暖房用熱交換器に流入する温水の温度を検出する暖房流入温度検出手段と、暖房箇所に設けられる暖房端末機と、暖房端末機と暖房用熱交換器との間で熱媒を循環させる暖房循環経路をさらに備えることが好ましい。この場合、加熱制御手段は、暖房流入温度検出手段によって検出される温度が、所定の暖房規定温度となるように、熱源機の発熱量と循環経路を流れる温水の流量を調整することが好ましい。
この貯湯式給湯システムでは、貯湯タンク内の温水を熱源機に送り出し、熱源機で加熱された温水を貯湯タンクへ戻すための循環経路を利用して、暖房循環経路内の熱媒を加熱する。そして、暖房端末機が、暖房循環経路内の熱媒の熱を利用して、暖房箇所を暖房する。このとき、暖房用熱交換器に流入する温水が暖房規定温度に等しくなるとともに、貯湯タンクに流入する温水が貯湯上限温度以下となるように、熱源機の発熱量と循環経路の流量を調整する。例えば、貯湯タンクに流入する温水の温度が貯湯上限温度を超えていれば、熱源機の発熱量と循環経路の流量の両者を減少させることによって、暖房用熱交換器に流入する温水の温度を維持しつつ、貯湯タンクに流入する温水の温度を低下させる。暖房運転と給湯運転を同時に行なう場合でも、暖房箇所を規定の能力で暖房するとともに、混合手段の混合比を所定値以下に維持しながら、給湯する温水の温度を給湯設定温度に正しく調整することができる。
【００１３】
上記の貯湯式給湯システムは、暖房循環経路の暖房用熱交換器から暖房端末機に熱媒を送る経路から分岐し、暖房循環経路の暖房端末機から暖房用熱交換器に熱媒を送る経路に合流する追焚き循環経路と、追焚き循環経路が通過する追焚き用熱交換器と、浴槽に接続され、浴槽と追焚き用熱交換器との間で温水を循環させる風呂循環経路をさらに備えることが好ましい。この場合、加熱制御手段は、暖房流入温度検出手段によって検出される温度が、所定の追焚き規定温度となるように、熱源機の発熱量と循環経路の流量を調整することが好ましい。
この貯湯式給湯システムでは、暖房用循環経路内の熱媒の熱を利用して、浴槽内の温水を加熱する。このとき、暖房用熱交換器に流入する温水が追焚き規定温度に等しくなるとともに、貯湯タンクに流入する温水が貯湯上限温度以下となるように、熱源機の発熱量と循環経路の流量を調整する。風呂の追焚き運転と給湯運転を同時に行なう場合でも、浴槽内の温水を規定の能力で加熱するとともに、混合手段の混合比を所定値以下に維持しながら、給湯する温水の温度を給湯設定温度に正しく調整することができる。
【００１４】
本発明の技術によって、新規で有用なコージェネレーションシステムを具現化することもできる。このコージェネレーションシステムは、上記したいずれかの貯湯式給湯システムと、発電装置と、発電装置が発生する熱を入力する熱回収用熱交換器と、貯湯タンクと熱回収用熱交換器との間で温水を循環させる第２循環経路を備えている。
このコージェネレーションシステムでは、発電装置が発生する熱を利用して、貯湯タンク内の温水を加熱する。それにより、エネルギー効率の高い熱電供給システムを構築することができる。
【発明の効果】
【００１５】
本発明の貯湯式給湯システムによれば、混合手段の混合比を適正な範囲内に維持しながら、給湯する温水の温度を給湯設定温度に正しく調整することができる。本発明によれば、利用者が意図する給湯温度の温水を安定して給湯することができ、利用者にとって安全で利便性の高い貯湯式給湯システムを提供することが可能となる。
【発明を実施するための最良の形態】
【００１６】
以下、本発明の好適な実施形態を説明する。
（形態１）給水経路は、貯湯タンクの底部に接続されていることが好ましい。
（形態２）貯湯タンクと熱源機との間で温水を循環させる循環経路は、貯湯タンクの中間部と熱源機とを接続している循環往路と、熱源機と貯湯タンクの天井部とを接続している循環復路を備えることが好ましい。
（形態３）給湯経路は、貯湯タンクの天井部に接続されていることが好ましい。
（形態４）貯湯タンクと熱源機との間で温水を循環させる循環経路には、循環経路内の温水を循環させる循環ポンプと、循環経路の流量を調整する流量調整手段が設けられていることが好ましい。
（形態５）貯湯式給湯システムは、利用者が給湯設定温度を設定する操作部を備えている。
【実施例】
【００１７】
本発明を具現化したコージェネレーションシステムについて、図面を参照しながら説明する。図１は、本実施例のコージェネレーションシステムの構成を示している。図１に示すように、コージェネレーションシステムは、給湯ユニット１０と、発電ユニット１５０と、熱負荷１０８を備えている。発電ユニット１５０は、いわゆる燃料電池である。
【００１８】
給湯ユニット１０は、温水を貯湯する貯湯タンク１４と、貯湯タンク１４に水道水を給水する給水経路２４と、熱源機を有するバーナ部６８と、貯湯タンク１４とバーナ部６８との間で温水を循環させるバーナ循環経路７６と、貯湯タンク１４から温水を給湯する給湯経路４６と、給湯ユニット１０の動作を制御するコントローラ１４６と、コントローラ１４６に接続されている給湯リモコン１４８を備えている。
コントローラ１４６は、各種の制御プログラムを記憶している。コントローラ１４６には、給湯リモコン１４８の操作信号と、以下で説明する各流量センサの検出信号と、各サーミスタの検出信号等が入力される。コントローラ１４６は、入力された信号と、記憶している制御プログラムに基づいて、以下に説明する各種ポンプ、各種弁、バーナ等の動作を制御する。給湯リモコン１４８には、電源スイッチ、給湯温度設定スイッチ、風呂追い焚きスイッチ、風呂湯張りスイッチ等が設けられている。給湯ユニット１０では、給湯リモコン１４８によって、給湯設定温度を３５℃から６０℃の間に設定することができる。
【００１９】
貯湯タンク１４には、第１タンクサーミスタ１６と、第２タンクサーミスタ１８と、第３タンクサーミスタ２０と、第４タンクサーミスタ２２が設けられている。各タンクサーミスタ１６，１８，２０，２２は、縦方向にほぼ均等に配置されている。各タンクサーミスタ１６，１８，２０，２２は、貯湯タンク１４内の温水温度を、それぞれの位置において検出する。各タンクサーミスタ１６，１８，２０，２２の検出信号は、コントローラ１４６に出力される。
【００２０】
給水経路２４は、貯湯タンク１４の下部（詳しくは底部）に接続されている。給水経路２４には、その上流側から順に、減圧弁２６と、給水サーミスタ２８と、給水量センサ３０と、給水量サーボ３２と、混合サーボ３４が設けられている。
減圧弁２６は、給水圧力を調整するものであり、下流側圧力が所定値を下回ると開弁する。後述する給湯栓４４や注湯電磁弁１４４が開かれると、減圧弁２６が開弁して貯湯タンク１４や混合経路３６に水道水が給水される。
給水サーミスタ２８は、給水される水道水の温度を検出する。給水量センサ３０は、給水される水道水の流量を検出する。給水サーミスタ２８と給水量センサ３０の検出信号は、コントローラ１４６に出力される。ここで、コントローラ１４６は、給水サーミスタ２８の検出温度が、給水経路２４を水道水が流れているときの温度であるのか、給水経路２４に水道水が滞留しているときの温度であるのかを、給水量センサ３０の検出流量に基づいて区別する。そして、コントローラ１４６は、給水経路２４を水道水が流れているときに給水サーミスタ２８が検出した検出温度の最終値を記憶しておく。
給水量サーボ３２は、ステッピングモータを内蔵する電動型の流量調整弁である。給水量サーボ３２の開度は、コントローラ１４６によって制御される。コントローラ１４６は、給水量サーボ３２の開度を制御することによって、外部から給湯ユニット１０に給水される水道水の流量を調整する。
混合サーボ３４は、ステッピングモータを内蔵する電動型の混合弁である。混合サーボ３４は、開度が固定されている一つの固定開口部３４ａと、ステッピングモータによって開度が連動して変化する連動開口部３４ｂ、３４ｃを備え、開口部３４ａ、３４ｂ、３４ｃが内部で連通されている。連動開口部３４ｂ、３４ｃは、一方の開度が増加すると一方の開度が減少する。混合サーボ３４の連動開口部３４ｂ、３４ｃの開度の割合（以下、単に混合サーボ３４の開度という）は、コントローラ１４６によって制御される。混合サーボ３４の固定開口部３４ａには給水経路２４の上流側が接続されており、混合サーボ３４の一方の連動開口部３４ｂには給水経路２４の下流側が接続されており、混合サーボ３４の他方の連動開口部３４ｃには混合経路３６が接続されている。コントローラ１４６は、混合サーボ３４の開度を制御することによって、外部から給湯ユニット１０に給水された水道水のうち、貯湯タンク１４側へ流れる流量と、混合経路３６側へ流れる流量の割合を調整する。貯湯タンク１４側に流れた水道水は貯湯タンク１４に流入し、同じ量だけ貯湯タンク１４から給湯経路４６に温水が流出する。混合経路３６側へ流れた水道水は、給湯経路４６を流れる温水に混合される。混合サーボ３４は、給湯経路４６を流れる温水に水道水を混合するとともに、給湯経路４６を流れる温水に対して混合する水道水の比を調整する。
本明細書では、給湯経路４６を流れる温水に対して混合する水道水の比を混合比ということがある。例えば、１リットル／ｍｉｎの流量で流れる温水に３リットル／ｍｉｎの流量で水道水を混合した場合、混合比は３．０となる。あるいは、３リットル／ｍｉｎの流量で流れる温水に１リットル／ｍｉｎの流量で水道水を混合した場合、混合比は０．３３（＝１／３）となる。
混合サーボ３４は、その構造上、混合比の適正範囲が定められており、その適正範囲を逸脱する混合比で使用すると、混合比を調整する際の分解能が低下する。本実施例の混合サーボ３４では、混合比の適正範囲が０．３３〜３．０に定められている。
給水経路２４には、混合サーボ３４の下流側に、排水経路３８が接続されている。排水経路３８の他端は、圧力開放経路４２に接続されている。圧力開放経路４２は、コージェネレーションシステムの外部に開放されている。排水経路３８には、排水弁４０が設けられている。排水弁４０の開閉は手動で行う。排水弁４０が開かれると、貯湯タンク１４内の温水が排水経路３８と圧力開放経路４２を経て排水される。
【００２１】
バーナ部６８は、バーナ７０と、潜熱熱交換器７２と、顕熱熱交換器７４を備えている。バーナ部６８では、バーナ循環経路７６が、潜熱熱交換器７２と顕熱熱交換器７４を順に通過するように配設されている。バーナ７０は、可燃性ガスを燃焼させる。潜熱熱交換器７２は、バーナ７０で発生する燃焼排ガスの熱によって、バーナ循環経路７６内の温水を予備加熱する。顕熱熱交換器７４は、バーナ７０の燃焼熱によって、バーナ循環経路７６内の温水を再加熱する。
潜熱熱交換器７２には、ドレンを排出又は回収するためのドレン経路９２が接続されている。ドレン経路９２には、中和器９４が設けられている。中和器９４内には、炭酸カルシウムが充填されている。潜熱熱交換器７２で発生した酸性のドレンは、中和器９４を通過することによって、ｐＨ６から７に中和される。ドレン経路９２の他端は、圧力開放経路４２に接続されている。中和されたドレンは、ドレン経路９２から圧力開放経路４２を通じて、外部に排出される。
【００２２】
バーナ循環経路７６は、貯湯タンク１４内の温水を、貯湯タンク１４とバーナ部６８との間で循環させる。バーナ循環経路７６は、貯湯タンク１４からバーナ部６８へ向かうバーナ循環往路７６ａと、バーナ部６８から貯湯タンク１４へ向かうバーナ循環復路７６を備えている。バーナ循環経路７６には、バーナ部６８をバイパスするバイパス経路７８が形成されている。
バーナ循環往路７６ａは、貯湯タンク１４の中間部（第１タンクサーミスタ１６と第２タンクサーミスタ１８との中間）と、潜熱熱交換器７２の上流端とを接続している。バーナ循環往路７６ａには、バーナ入口サーミスタ８１と、バーナ循環ポンプ８０と、バーナ循環流量センサ８２と、バーナ循環流量サーボ８４と、バーナバイパスサーボ８６が設けられている。バーナ入口サーミスタ８１は、バーナ循環往路７６ａを流れる温水の温度を検出する。バーナ入口サーミスタ８１は、貯湯タンク１４の近傍に配置されている。バーナ入口サーミスタ８１が検出する温度は、貯湯タンク１４からバーナ循環往路７６ａに流出する温水の温度に実質的に等しい。バーナ入口サーミスタ８１の検出信号は、コントローラ１４６に出力される。バーナ循環ポンプ８０は、バーナ循環経路７６内の温水を循環させる。バーナ循環ポンプ８０の動作は、コントローラ１４６によって制御される。バーナ循環流量センサ８２は、バーナ循環経路７６を流れている温水の流量を検出する。バーナ循環流量センサ８２が検出する流量は、貯湯タンク１４からバーナ循環往路７６ａに流出している温水の流量およびバーナ循環復路７６ｂから貯湯タンク１４に流入している温水の流量に実質的に等しい。バーナ循環流量センサ８２の検出信号は、コントローラ１４６に出力される。
バーナ循環流量サーボ８４とバーナバイパスサーボ８６は、いずれもステッピングモータを内蔵しており、ステッピングモータを駆動することによってその開度を調整することができる流量調整弁である。バーナ循環流量サーボ８４とバーナバイパスサーボ８６の開度は、いずれもコントローラ１４６によって制御される。コントローラ１４６は、バーナ循環流量サーボ８４の開度を調整することによって、バーナ循環経路７６を流れる温水の流量を調整する。また、コントローラ１４６は、バーナバイパスサーボ８６の開度を調整することによって、バーナ循環経路７６を流れる温水のうち、バーナ部６８へ流れる流量と、バイパス経路７８へ流れる流量の割合を調整する。なお、バーナ循環経路７６を流れる温水の流量を調整するにあたっては、バーナ循環流量サーボ８４の開度を調整することに代えて、バーナ循環ポンプ８０の回転数を調整する構成としてもよい。
【００２３】
バーナ循環復路７６ｂは、顕熱熱交換器７４の下流端と、貯湯タンク１４の天井部とを接続している。バーナ循環復路７６ｂは、後述する暖房用熱交換器１４４を通過している。バーナ循環復路７６ｂには、バーナ出口サーミスタ８８と、熱交換器出口サーミスタ９０が設けられている。
バーナ出口サーミスタ８８は、バーナ循環復路７６ｂとバイパス経路７８の下流端との接続部よりも下流側に配置されており、バーナ部６８及び／又はバイパス経路７８を通過した後の温水の温度を検出する。
熱交換器出口サーミスタ９０は、後述する暖房用熱交換器１１４の下流側に配置されており、暖房用熱交換器１１４を通過した後の温水の温度を検出する。熱交換器出口サーミスタ９０が検出する温度は、バーナ循環復路７６ｂから貯湯タンク１４に流入する温水の温度に実質的に等しい。バーナ出口サーミスタ８８の検出信号と、熱交換器出口サーミスタ９０の検出信号は、コントローラ１４６に出力される。
【００２４】
貯湯タンク１４の上部（詳しくは天井部）には、貯湯タンク１４内の温水を給湯栓４４や浴槽１２８に給湯する給湯経路４６が接続されている。給湯栓４４は、浴室、洗面所、台所等にそれぞれ配設されている。給湯経路４６には、貯湯タンク１４側から順に、圧力逃し弁４８と、温水電磁弁５０と、高温サーミスタ５２と、出湯サーミスタ５４が設けられている。また、給湯経路４６には、先述の混合経路３６が接続されている。混合経路３６は、高温サーミスタ５２と出湯サーミスタ５４の間に接続されている。
圧力逃し弁４８は、給湯経路４６内の圧力が所定値以上となったときに開弁し、給湯経路４６内や貯湯タンク１４内の圧力が過剰に上昇することを防止する。圧力逃し弁４８の出口側は、圧力開放経路４２に接続されている。
温水電磁弁５０は、コントローラ１４６によって開閉される。コントローラ１４６は、給水量センサ３０の検出流量に基づいて給湯の開始／終了を判断し、給湯が開始されたと判断したときに温水電磁弁５０を開弁し、給湯が終了した判断したときに温水電磁弁５０を閉弁する（後で詳述する）。
高温サーミスタ５２は、混合経路３６の接続位置よりも上流側の位置において、給湯経路４６を流れる温水の温度を検出する。高温サーミスタ５２が検出する温度は、貯湯タンク１４から給湯経路４６に流出した温水の温度に実質的に等しい。出湯サーミスタ５４は、混合経路３６の接続位置よりも下流側の位置において、給湯経路４６を流れる温水の温度を検出する。出湯サーミスタ５４は、貯湯タンク１４からの温水と混合経路３６からの水道水との混合水の温度を検出する。高温サーミスタ５２と出湯サーミスタ５４の検出信号は、コントローラ１４６に出力される。
【００２５】
給湯経路４６からは、シスターン給水経路１０２が分岐している。シスターン給水経路１０２には、負圧弁１０４と、シスターン給水弁１０６が設けられている。負圧弁１０４は、断水等によって給水経路２４が負圧になったときに開弁し、大気を吸引して貯湯タンク１４の負圧による破損を防止する。シスターン給水弁１０６は、コントローラ１４６によって開閉される。コントローラ１４６は、貯湯タンク１４内の温水を後述するシスターン１００に給水するときに、シスターン給水弁１０６を開弁する。
【００２６】
給湯ユニット１０は、発電ユニット１５０に設けられている熱回収用熱交換器１５４と、貯湯タンク１４と熱回収用熱交換器１５４との間で温水を循環させる熱回収循環経路（第２循環経路）５６を備えている。発電ユニット１５０には、熱媒循環経路１５２と、熱回収用熱交換器１５４が設けられている。熱媒循環経路１５２は、発電ユニット１５０の各部と熱回収用熱交換器１５４との間で熱媒を循環させる。熱回収用熱交換器１５４は、熱媒循環経路１５２を流れる熱媒と、熱回収循環経路５６を流れる温水との間で、熱交換（熱伝達）を行なう。発電ユニット１５０では、発電ユニット１５０の各部で発生した熱が、熱回収用熱交換器１５４に入力されるようになっている。
【００２７】
熱回収循環経路５６は、貯湯タンク１４から熱回収用熱交換器１５４へ向かう熱回収循環往路５６ａと、熱回収用熱交換器１５４から貯湯タンク１４へ向かう熱回収循環復路５６ｂを備えている。
熱回収循環往路５６ａは、貯湯タンク１４の下部（詳しくは底部）と、熱回収用熱交換器１５４の上流端とを接続している。熱回収循環往路５６ａには、熱回収循環ポンプ５８と、熱回収流量センサ５９と、循環往路サーミスタ６０が設けられている。熱回収循環ポンプ５８は、熱回収循環経路５６内の温水を循環させる。熱回収循環ポンプ５８は、発電ユニット１５０の発電運転中や、熱回収循環経路５６の凍結防止運転中に駆動される。熱回収循環ポンプ５８の動作は、コントローラ１４６によって制御される。熱回収流量センサ５９は、熱回収循環経路５６を流れている温水の流量を検出する。熱回収流量センサ５９が検出する流量は、貯湯タンク１４から熱回収循環往路５６ａに流出している温水の流量および熱回収循環復路５６ｂから貯湯タンク１４に流入している温水の流量に実質的に等しい。熱回収流量センサ５９の検出信号は、コントローラ１４６に出力される。循環往路サーミスタ６０は、熱回収循環往路５６ａを流れる温水の温度を検出する。循環往路サーミスタ６０は、貯湯タンク１４の近傍に配置されている。循環往路サーミスタ６０が検出する温度は、貯湯タンク１４から熱回収循環往路５６ａに流入する温水の温度に略等しい。循環往路サーミスタ６０の検出信号は、コントローラ１４６に出力される。
【００２８】
熱回収循環復路５６ｂは、熱回収用熱交換器１５４の下流端と、貯湯タンク１４の上部（詳しくは天井部）とを接続している。熱回収循環復路５６ｂには、循環復路サーミスタ６２と三方弁６４が設けられている。循環復路サーミスタ６２は、三方弁６４の上流側に配置されている。循環復路サーミスタ６２は、熱回収用熱交換器１５４を通過した後の温水の温度を検出する。循環復路サーミスタ６２が検出する温度は、熱回収循環復路５６ｂから貯湯タンク１４に流入する温水の温度に略等しい。循環復路サーミスタ６２の検出信号はコントローラ１４６に出力される。三方弁６４は、一つの入口６４ａと二つの出口６４ｂ，６４ｃを有している。三方弁６４の入口６４ａには、熱回収循環復路５６ｂの上流側部分が接続されている。三方弁６４の一方の出口６４ｃには、熱回収循環復路５６ｂの下流側部分が接続されている。三方弁６４の他方の出口６４ｂには、バイパス経路６６の一端が接続されている。バイパス経路６６の他端は、熱回収循環往路５６ａの途中に接続されている。三方弁６４の入口６４ａと一方の出口６４ｃが連通すると、発電ユニット１５０と貯湯タンク１４を経由する循環経路が形成され、三方弁６４の入口６４ａと他方の出口６４ｃが連通すると、発電ユニット１５０を経由して貯湯タンク１４をバイパスする（通過しない）循環経路が形成される。三方弁６４の切換えはコントローラ１４６によって制御される。
【００２９】
本実施例のコージェネレーションシステムは、熱負荷１０８である暖房装置と、風呂装置を備えている。
暖房装置は、温水を貯湯するシスターン１００と、エアコンや床暖房機等の暖房端末機１１０と、シスターン１００と暖房端末機１１０との間で温水を循環させる暖房循環経路１１２と、暖房循環経路１１２とバーナ循環経路７６との間で熱交換する暖房用熱交換器１１４を備えている。
シスターン１００には、シスターン給水経路１０２を介して、貯湯タンク１４から温水が給水される。シスターン１００内の温水は、図示しない水位センサによって水位が監視されている。コントローラ１４６は、シスターン１００内の温水が所定水位未満となると、シスターン給水弁１０６を開弁する。また、シスターン１００には、シスターン１００内の温水が所定水位を超えたときに、シスターン１００内の温水をドレン経路９２へオーバーフローさせるオーバーフロー経路９８が設けられている。
暖房循環経路１１２は、シスターン１００から暖房端末機１１０へ向かう暖房循環往路１１２ａと、暖房端末機１１０からシスターン１００へ向かう暖房循環復路１１２ｂを備えている。暖房循環往路１１２ａは、暖房用熱交換器１１４を通過するように配設されている。暖房循環往路１１２ａには、暖房循環ポンプ１１６と、暖房循環サーミスタ１１８が設けられている。暖房循環ポンプ１１６は、暖房循環経路１１２内の温水を循環させる。暖房循環ポンプ１１６は、暖房端末機１１０のスイッチの操作に伴って駆動される。暖房循環ポンプ１１６の動作は、コントローラ１４６によって制御される。暖房循環サーミスタ１１８は、暖房用熱交換器１１４の下流側に配置されており、暖房用熱交換器１１４を通過した後の温水の温度を検出する。暖房循環サーミスタ１１８の検出信号は、コントローラ１４６に出力される。暖房端末機１１０内の暖房循環経路１１２には、暖房熱動弁１２０が設けられている。暖房熱動弁１２０は、コントローラ１４６によって開閉される。コントローラ１４６は、暖房端末機のスイッチの操作に応じて、暖房熱動弁１２０を開閉させる。
【００３０】
風呂装置は、暖房循環往路１１２ａから分岐して暖房循環復路１１２ｂに接続する追焚き経路１２２と、浴槽１２８と、浴槽１２８内の温水を循環させる風呂循環経路１３０と、風呂循環経路１３０と追焚き経路１２２との間で熱交換する風呂用熱交換器１２４を備えている。
追焚き経路１２２は、暖房循環往路１１２ａにおいて、暖房用熱交換器１１４および暖房循環サーミスタ１１８の下流側から分岐している。また、追焚き経路１２２の下流端は、暖房循環復路１１２ｂのシスターン１００近傍に接続している。追焚き経路１２２は、風呂用熱交換器１２４を通過するように配設されている。追焚き経路１２２には、追焚き熱動弁１２６が介装されている。追焚き熱動弁１２６は、コントローラ１４６によって開閉される。コントローラ１４６は、給湯リモコン１４８の風呂追焚きスイッチの操作に応じて、追焚き熱動弁１２６を開閉させる。
【００３１】
風呂循環経路１３０は、風呂用熱交換器１２４を通過するように配設されている。風呂循環経路１３０は、浴槽１２８から風呂用熱交換器１２４へ向かう風呂循環往路１３０ａと、風呂用熱交換器１２４から浴槽１２８へ向かう風呂循環復路１３０ｂを備えている。風呂循環往路１３０ａには、風呂水位センサ１３２と、風呂循環ポンプ１３４と、風呂水流スイッチ１３６と、風呂循環サーミスタ１３８が設けられている。風呂水位センサ１３２は、風呂循環経路１３０内の温水の水圧を検出する。風呂水位センサ１３２の検出信号は、コントローラ１４６に出力される。風呂水位センサ１３２によって検出される水圧は、浴槽１２８内の温水の水位を推定するために利用される。風呂循環ポンプ１３４は、風呂循環経路１３０内の温水を循環させる。風呂循環ポンプ１３４の動作は、コントローラ１４６によって制御される。コントローラ１４６は、給湯リモコン１４８のスイッチの操作に伴って、風呂循環ポンプ１３４を駆動する。風呂水流スイッチ１３６は、風呂循環経路１３０内を温水が流れるとオンとなる。風呂水流スイッチ１３６のオンオフ信号は、コントローラ１４６に出力される。風呂循環サーミスタ１３８は、風呂用熱交換器１２４の上流側に配置されており、風呂用熱交換器１２４に入水する温水の温度を検出する。風呂循環サーミスタ１３８の検出信号は、コントローラ１４６に出力される。
【００３２】
風呂循環経路１３０と給湯経路４６の間には、両者を接続する湯張り経路１４０が設けられている。湯張り経路１４０の上流端は、給湯経路４６の出湯サーミスタ５４の下流側に接続されている。湯張り経路１４０の下流端は、風呂循環往路１３０ａの風呂循環ポンプ１３４と風呂水流スイッチ１３６との間に接続されている。湯張り経路１４０には、湯張り量センサ１４２と、注湯電磁弁１４４が設けられている。湯張り量センサ１４２は、湯張り経路１４０を通過する温水の流量を検出する。湯張り量センサ１４２の検出信号は、コントローラ１４６に出力される。注湯電磁弁１４４は、コントローラ１４６によって開閉される。コントローラ１４６は、給湯リモコン１４８のスイッチの操作や浴槽１２８内の温水の水位に応じて、注湯電磁弁１４４を開閉させる。
【００３３】
次に、給湯ユニット１０で行われる蓄熱運転、加熱運転、給湯運転、暖房運転、風呂湯張り運転、風呂追焚き運転について、それぞれ説明する。
【００３４】
（蓄熱運転）
図２を参照して蓄熱運転について説明する。図２は、蓄熱運転におけるコージェネレーションシステムの動作の概要を示している。蓄熱運転では、図２中に太線で示す経路内を温水や熱媒が流通する。
発電ユニット１５０では、発電運転に伴って発生した発電熱によって、熱媒循環経路１５２内を循環する熱媒が加熱される。一方、給湯ユニット１０では、熱回収循環ポンプ５８が駆動され、貯湯タンク１４内の温水が熱回収循環経路５６を通って循環する。貯湯タンク１４から熱回収循環往路５６ａには、貯湯タンク１４の底部から比較的に温度の低い温水が流出する。貯湯タンク１４から熱回収循環往路５６ａに流出した温水は、熱回収用熱交換器１５４を通過する間に、熱媒循環経路１５２内を循環する熱媒の熱によって加熱される。加熱された温水は熱回収循環復路５６ｂを経て貯湯タンク１４の天井部へ戻される。貯湯タンク１４内の温水は上部から昇温していく。このように、コージェネレーションシステムでは、発電ユニット１５０が発電に伴って発生した発電熱を、貯湯タンク１４内に蓄熱していく。貯湯タンク１４内に蓄熱された熱は、後述する給湯運転、暖房運転、風呂湯張り運転、風呂追焚き運転によって消費される。
一方において、発電ユニット１５０の発電熱を蓄熱するだけでは、貯湯タンク１４の温水を十分に加熱できない場合がある。この場合、次に説明する加熱運転が実施される。
【００３５】
（加熱運転）
図３、図４を参照して加熱運転について説明する。図３は、加熱運転におけるコージェネレーションシステムの動作の概要を示している。加熱運転では、図３中に太線で示す経路内を温水が流通する。図４は、加熱運転の示すフローチャートである。図４に示すフローに沿って、加熱運転における処理の流れについて説明する。
ステップＳ２では、コントローラ１４６によって、給湯リモコン１４８の電源が投入されたのか否かが判別される。コントローラ１４６は、給湯リモコン１４８の電源が投入されると（ステップＳ２でＹＥＳ）、ステップＳ４の処理に進む。
【００３６】
ステップＳ４では、コントローラ１４６が、貯湯上限温度と貯湯下限温度の設定処理を開始する。コントローラ１４６は、給水サーミスタ２８の検出温度と、給湯リモコン１４８によって設定された給湯設定温度に基づいて、貯湯上限温度と貯湯下限温度を設定する。この設定処理は、給湯リモコン１４８の電源が投入されている間、繰り返し実行される。それにより、給水サーミスタ２８の検出温度や給湯設定温度の変化に追従して、貯湯上限温度や貯湯下限温度の設定値は更新される。なお、給水経路２４を水道水が流通しておらず、水道水が滞留している間、給水経路２４内の水道水は温度が変化していく。この場合、給水サーミスタ２８の検出温度は、水道水の実際の温度とみなすことができなくなる。従って、コントローラ１４６は、給水経路２４を水道水が流通していない場合、給水サーミスタ２８が現に検出している温度に代えて、記憶している給水経路２４を水道水が流通しているときに給水サーミスタ２８が最後に検出した検出温度を用いる。
貯湯上限温度は、その貯湯上限温度の温水に対して、給水サーミスタ２８によって検出された温度の水道水を第１所定比で混合したときに、給湯リモコン１４８によって設定された給湯設定温度の温水が得られる温度である。ここで、第１所定比は、混合サーボ３４の混合比に関する適正範囲の最大値に対応して定められており、本実施例では３．０に定められている。従って、貯湯タンク１４の上部における温水温度が貯湯上限温度以下であれば、貯湯タンク１４からの温水に給水経路２４からの水道水を混合して給湯設定温度の温水を得る際に、混合サーボ３４の混合比が適正範囲の最大値である３．０を上回ることが禁止されることとなる。貯湯上限温度ＴＵと、給水サーミスタ２８の検出温度Ｔ２８と、給湯リモコン１４８によって設定された給湯設定温度ＴＳの間には、ＴＵ＝（ＴＳ−Ｔ２８）×３．０＋ＴＳの関係が成立する。また、貯湯上限温度には上限値が定められており、本実施例では９０℃に設定されている。例えば、給水サーミスタ２８の検出温度が２０℃であり、給湯設定温度が３５℃である場合、計算される貯湯上限温度は８０℃となる。あるいは、給水サーミスタ２８の検出温度が５℃であり、給湯設定温度が３５℃である場合、計算される貯湯上限温度は１２５℃となる。この場合は、貯湯上限温度が上限値である９０℃に修正される。
貯湯下限温度は、その貯湯下限温度の温水に対して、給水サーミスタ２８によって検出された温度の水道水を第２所定比で混合したときに、給湯リモコン１４８によって設定された給湯設定温度の温水が得られる温度である。ここで、第２所定比は、混合サーボ３４の混合比に関する適正範囲の最小値に対応して定められており、本実施例では０．３３に定められている。従って、貯湯タンク１４の上部における温水温度が貯湯下限温度以上であれば、貯湯タンクからの温水に給水経路２４からの水道水を混合して給湯設定温度の温水を得る際に、混合サーボ３４の混合比が適正範囲の最小値である０．３３を下回ることが禁止されることとなる。貯湯下限温度ＴＬと、給水サーミスタ２８の検出温度Ｔ２８と、給湯リモコン１４８によって設定された給湯設定温度ＴＳの間には、ＴＬ＝（ＴＳ−Ｔ２８）×０．３３＋ＴＳの関係が成立する。例えば、給水サーミスタ２８の検出温度が５℃であり、給湯設定温度が５０℃である場合、計算される貯湯下限温度は６５℃となる。あるいは、給水サーミスタ２８の検出温度が２０℃であり、給湯設定温度が５０℃である場合、計算される貯湯下限温度は６０℃となる。なお、貯湯下限温度にも、所定の下限値を定めてもよい。
【００３７】
ステップＳ６では、コントローラ１４６によって、第１タンクサーミスタ１６の検出温度が、貯湯下限温度以下であるのか否かが判別される。コントローラ１４６は、第１タンクサーミスタ１６の検出温度が貯湯下限温度以下であると（ステップＳ６でＹＥＳ）、貯湯タンク１４内の温水を加熱する必要があると判断する。この場合、ステップＳ８に進む。一方、第１タンクサーミスタ１６の検出温度が貯湯下限温度以上であると（ステップＳ６でＮＯ）、貯湯タンク１４内の温水温度は十分に高く、加熱運転は必要ないと判断する。この場合、加熱運転は実施されない。
ステップＳ８では、コントローラ１４６によって、バーナ循環ポンプ８０が駆動されるとともに、バーナ７０が点火される。それにより、貯湯タンク１４の中間部の温水が、バーナ循環往路７６ａを通じてバーナ部６８へ送り出され、バーナ部６８において加熱された後に、バーナ循環復路７６ｂを通じて貯湯タンク１４の天井部に戻される。
【００３８】
ステップＳ１０では、コントローラ１４６によって、熱交換器出口サーミスタ９０の検出温度が、貯湯上限温度以上であるのか否かが判別される。コントローラ１４６は、熱交換器出口サーミスタ９０の検出温度が、貯湯上限温度以上であれば（ステップＳ１０でＹＥＳ）、ステップＳ１２の処理に進む。熱交換器出口サーミスタ９０の検出温度が、貯湯上限温度以下であれば（ステップＳ１０でＮＯ）、ステップＳ１４の処理に進む。
ステップＳ１２では、コントローラ１４６によって、バーナ７０の発熱量（即ち、バーナ７０のガス燃焼量）が減少される。あるいは、コントローラ１４６によって、バーナ循環流量サーボ８４の開度が増加され、バーナ循環経路７６を流れる温水の流量が増加される。即ち、熱交換器出口サーミスタ９０の検出温度が低下して貯湯上限温度以下となるように、バーナ７０の発熱量やバーナ循環経路７６を流れる温水の流量が制御される。このステップＳ１２では、バーナ７０の発熱量とバーナ循環経路７６を流れる温水の流量の一方のみを制御してもよいし、両者を制御してもよい。
一方、ステップＳ１４では、コントローラ１４６によって、熱交換器出口サーミスタ９０の検出温度が、貯湯下限温度以下であるのか否かが判別される。コントローラ１４６は、熱交換器出口サーミスタ９０の検出温度が、貯湯下限温度以下であれば（ステップＳ１４でＹＥＳ）、ステップＳ１６の処理に進む。熱交換器出口サーミスタ９０の検出温度が、貯湯上限温度以上であれば（ステップＳ１４でＮＯ）、ステップＳ１８の処理に進む。
ステップＳ１６では、コントローラ１４６によって、バーナ７０の発熱量（即ち、バーナ７０のガス燃焼量）が増加される。あるいは、コントローラ１４６によって、バーナ循環流量サーボ８４の開度が減少され、バーナ循環経路７６を流れる温水の流量が増加される。即ち、熱交換器出口サーミスタ９０の検出温度が上昇して貯湯下限温度以上となるように、バーナ７０の発熱量やバーナ循環経路７６を流れる温水の流量が制御される。このステップＳ１６では、バーナ７０の発熱量とバーナ循環経路７６を流れる温水の流量の一方のみを制御してもよいし、両者を制御してもよい。
【００３９】
ステップＳ１８では、コントローラ１４６によって、バーナ入口サーミスタ８１の検出温度が、貯湯下限温度以上であるのか否かが判別される。コントローラ１４６は、バーナ入口サーミスタ８１の検出温度が、貯湯下限温度以上であると（ステップＳ１８でＹＥＳ）、貯湯タンク１４内の上部から中間部にかけて十分な温水層が形成されたと判断する。この場合、ステップＳ２０に進む。一方、コントローラ１４６は、バーナ入口サーミスタ８１の検出温度が、貯湯下限温度以下であると（ステップＳ１８でＮＯ）、貯湯タンク１４内に十分な温水層が形成されていないと判断する。この場合、ステップＳ１０へ戻り、ステップＳ１０からステップ１８の処理を繰り返す。それにより、熱交換器出口サーミスタ９０の検出温度が、貯湯下限温度以上であって貯湯上限温度以下となるように、バーナ７０の発熱量やバーナ循環経路７６を流れる温水の流量が制御される。
ステップＳ２０では、コントローラ１４６によって、バーナ７０が消火されとともに、バーナ循環ポンプ８０が停止される。次いで、ステップＳ２２へ進む。
ステップＳ２２では、コントローラ１４６によって、給湯リモコン１４８の電源がオフされたのか否かが判別される。コントローラ１４６は、給湯リモコン１４８の電源がオフされていれば（ステップＳ２２でＹＥＳ）、本フローを終了する。給湯リモコン１４８の電源がオフされていなければ、ステップＳ６の処理に戻り、第１タンクサーミスタ１６の検出温度を監視する状態に戻る。
【００４０】
本実施例の給湯ユニット１０では、加熱運転中において、バーナ部６８で加熱されて貯湯タンク１４に流入する温水の温度が、貯湯下限温度以上であって貯湯上限温度以下の範囲に維持される。それにより、貯湯タンク１４内の少なくとも上部における温水の温度は、貯湯下限温度以上であって貯湯上限温度以下の範囲に維持される。その結果、後述する給湯運転において、貯湯タンク１４から給湯経路４６には、貯湯下限温度以上であって貯湯上限温度以下の温水が給湯される。混合サーボ３４が貯湯タンク１４からの温水に給水経路２４からの水道水を混合して給湯設定温度の温水を得る際に、混合サーボ３４の混合比が適正範囲（本実施例では０．３３〜３．０）から外れることが禁止される。
【００４１】
（給湯運転）
図５、図６を参照して給湯運転について説明する。図５は、給湯運転におけるコージェネレーションシステムの動作の概要を示している。給湯運転では、図５中に太線で示す経路内を温水が流通する。図６は、給湯運転のフローチャートである。図６に示すフローに沿って、給湯運転における処理の流れを説明する。
ステップＳ３０では、コントローラ１４６によって、給水量センサ３０の検出流量が、２．７リットル／ｍｉｎ以上であるか否かが判別される。コントローラ１４６は、給水量センサ３０の検出流量が２．７リットル／ｍｉｎ以上となると（ステップＳ３０でＹＥＳ）、給湯栓４４が開かれて給湯要求があったものと判断する。この場合、ステップＳ３２に進む。
ステップＳ３２では、コントローラ１４６が、温水電磁弁５０を開弁する。それにより、貯湯タンク１４内の上部に貯められていた温水が給湯経路４６に送り出される。次いで、コントローラ１４６は、出湯サーミスタ５４の検出温度を監視し、出湯サーミスタ５４の検出温度が、給湯リモコン１４８で設定されている給湯設定温度となるように、混合サーボ３４の混合比を調整する。先に説明した加熱運転によって、貯湯タンク１４から給湯経路４６に送り出される温水は、貯湯下限温度以上であって貯湯上限温度以下となっている。混合サーボ３４の混合比は、適正範囲内（本実施例では０．３３〜３．０）で調整される。
【００４２】
ステップＳ３４では、コントローラ１４６によって、加熱運転中であるのか否かが判別される。ここでいう加熱運転とは、先に説明したバーナ部６８による加熱運転を示している。コントローラ１４６は、加熱運転中であると判断すると（ステップＳ３４でＹＥＳ）、ステップＳ３６の処理へ進む。一方、加熱運転中でないと判断すると（ステップＳ３４でＮＯ）、ステップＳ４２の処理に進む。
ステップＳ３６では、コントローラ１４６によって、貯湯タンク１４内の熱量の単位時間当たりの変化量が計算される。先ず、コントローラ１４６は、バーナ循環流量センサ８２の検出流量Ｑ８２と、バーナ循環入口サーミスタ８１の検出温度Ｔ８１と、熱交換器出口サーミスタ９０の検出温度Ｔ９０を用いて、加熱運転によって貯湯タンク１４に単位時間当たりに供給されている供給熱量Ｈｉｎを計算する。供給熱量Ｈｉｎは、例えば次式、Ｈｉｎ＝（Ｔ９０−Ｔ８１）×Ｑ８２を用いて計算することができる。ここで、さらに蓄熱運転中である場合には、蓄熱運転によって貯湯タンク１４に供給されている熱量を同様に計算し、供給熱量Ｈｉｎに加算することが好ましい。ただし、蓄熱運転によって貯湯タンク１４に供給される熱量が、加熱運転によって貯湯タンク１４に供給される熱量に比して十分に小さいのであれば、蓄熱運転によって貯湯タンク１４に供給される熱量を必ずしも考慮する必要はない。
次いで、コントローラ１４６は、給水量センサ３０の検出流量Ｑ３０と、給水サーミスタ２８の検出温度Ｔ２８と、出湯サーミスタ５４の検出温度Ｔ５４を用いて、給湯運転によって貯湯タンク１４から単位時間当たりに消費されている消費熱量Ｈｏｕｔを計算する。消費熱量Ｈｏｕｔは、例えば次式、Ｈｏｕｔ＝（Ｔ５４−Ｔ２８）×Ｑ３０を用いて計算することができる。
そして、コントローラ１４６は、計算した供給熱量Ｈｉｎと消費熱量Ｈｏｕｔを用いて、貯湯タンク１４内の熱量の単位時間当たりの変化量ｄＨ＝Ｈｉｎ−Ｈｏｕｔを計算する。
【００４３】
ステップＳ３８では、コントローラ１４６によって、ステップＳ３６で計算した熱量変化量ｄＨが、正であるのか負であるのかが判別される。熱量変化量ｄＨが負であれば、貯湯タンク１４内の熱量は減少しており、貯湯タンク１４内の上部に形成されている温水層は減少していく。コントローラ１４６は、熱量変化量ｄＨが負であれば（ステップＳ３８でＹＥＳ）、加熱運転による供給熱量Ｈｉｎが不足していると判断し、ステップＳ４０の処理に進む。一方、熱量変化量ｄＨが正であれば、貯湯タンク１４内の熱量は増加しており、貯湯タンク１４内の上部に形成されている温水層は増加していく。コントローラ１４６は、熱量変化量ｄＨが正（厳密にはゼロ以上）であれば（ステップＳ３８でＮＯ）、加熱運転による供給熱量Ｈｉｎが十分に足りていると判断し、ステップＳ４２の処理に進む。
ステップＳ４０では、コントローラ１４６によって、バーナ７０の発熱量が増加される。それにより、加熱運転によって貯湯タンク１４に単位時間当たりに供給される供給熱量を増加させる。このステップＳ４０におけるバーナ７０の発熱量の増加に伴って、図４に示す加熱運転の処理フローでは、必要に応じてバーナ循環経路７６を流れる温水の流量が増減調整される。
【００４４】
ステップＳ４２では、コントローラ１４６によって、給水量センサ３０の検出流量が２．０リットル／ｍｉｎ以下であるか否かが判別される。コントローラ１４６は、給水量センサ３０の検出流量が２．０リットル／ｍｉｎを超えていると（ステップＳ４２でＮＯ）、まだ給湯栓４４は開かれており、給湯中であると判断する。この場合、ステップＳ３４へ戻り、ステップＳ３４からステップＳ４２までの処理を繰り返す。給水量センサ３０の検出流量が２．０リットル／ｍｉｎ以下となると（ステップＳ４２でＹＥＳ）、コントローラ１４６は給湯栓４４が閉じられたと判断し、ステップＳ４４の処理に進む。
ステップＳ４４では、コントローラ１４６によって、温水電磁弁５０が閉弁される。以上により、給湯運転は終了する。
【００４５】
以上のように、給湯ユニット１０では、給湯運転において、貯湯タンク１４から給湯経路４６に貯湯下限温度以下であって貯湯上限温度以上の温水が給湯される。その結果、混合サーボ３４の混合比は、適正範囲内（本実施例では０．３３〜３．０）で調整される。また、加熱運転中における給湯運転では、給湯運転によって貯湯タンク１４から単位時間当たりに消費される熱量が、加熱運転によって貯湯タンク１４に単位時間当たりに供給される熱量を超えるときに、バーナ７０の発熱量を増加させることによって、貯湯タンク１４に単位時間当たりに供給される熱量を増加させる。
【００４６】
（暖房運転）
図７、図８を参照して暖房運転について説明する。図７は、暖房運転におけるコージェネレーションシステムの動作の概要を示している。暖房運転では、図７中に太線で示す経路内を温水が流通する。図８は、暖房運転のフローチャートである。図８に示すフローに沿って、暖房運転における処理の流れを説明する。
ステップＳ６０では、暖房装置のリモコン（図示省略）のスイッチが操作されて、暖房のオン信号が出力されたか否かが判別される。暖房のオン信号が出力されたことが判別されると（ステップＳ６０でＹＥＳ）、暖房端末機１１０の運転要求があったとみなされ、ステップＳ６２に進む。
ステップＳ６２では、バーナ７０が点火され、バーナ循環ポンプ８０が駆動される。これによって、貯湯タンク１４の中間部の温水が、バーナ循環往路７６ａを経てバーナ部６８に送り出されて加熱される。
【００４７】
ステップＳ６４では、起動した暖房装置が高温端末機であるか否かが判別される。本実施例では、高温端末機はエアコンであり、低温端末機は床暖房機である。高温端末機が起動したと判別されると（ステップＳ６４でＹＥＳ）、ステップＳ６６に進む。
ステップＳ６６では、バーナ出口サーミスタ８８の検出温度が、高温暖房規定温度である８５℃となるように、バーナ７０の発熱量とバーナ循環流量サーボ８４の開度（即ち、バーナ循環経路７６を流れる温水の流量）が調整される。高温暖房規定温度は、高温端末機の動作時に暖房用熱交換器１１４に供給すべき温水の温度であり、コントローラ１４６に予め教示されている。バーナ部６８で加熱されて８５℃となった温水は、バーナ循環復路７６ｂを通って暖房用熱交換器１１４に流入する。バーナ循環復路７６ｂ内の８５℃の温水の熱が、暖房用熱交換器１１４に入力される。暖房用熱交換器１１４を通過して温度低下した温水は、バーナ循環復路７６ｂを経て貯湯タンク１４の上部に戻される。
ステップＳ６８では、暖房熱動弁１２０が開かれるとともに、暖房循環ポンプ１１６が駆動される。これによって、シスターン１００内の温水が、暖房循環往路１１２ａに送り出され、暖房用熱交換器１１４を通過する。このとき、暖房循環往路１１２ａ内の温水は、暖房用熱交換器１１４において加熱される。
ステップＳ７０では、暖房循環サーミスタ１１８の検出温度が８０℃となるように暖房循環ポンプ１１６の駆動が調整される。暖房用熱交換器１１４において８０℃に加熱された暖房循環往路１１２ａ内の温水は、高温端末機（エアコン）内の熱交換器内を通過する。この熱交換器に空気が吹付けられ、吹付けられた空気が加熱されて温風となり、エアコンの吹出し口から吹出される。高温端末機である暖房端末機１１０を通過して温度低下した温水は、暖房循環復路１１２ｂを経てシスターン１００に戻される。
【００４８】
一方、ステップＳ６４において、起動した暖房装置が高温端末機でないと判別されると（ステップＳ６４でＮＯ）、低温端末機（床暖房機）が起動したとみなされ、ステップＳ７２に進む。
ステップＳ７２では、バーナ出口サーミスタ８８の検出温度が、低温暖房規定温度である６５℃となるように、バーナ７０の発熱量とバーナ循環流量サーボ８４の開度（即ち、バーナ循環経路７６を流れる温水の流量）が調整される。低温暖房規定温度は、低温端末機の動作時に暖房用熱交換器１１４に供給すべき温水の温度であり、コントローラ１４６に予め教示されている。バーナ部６８で加熱されて６５℃となった温水は、バーナ循環復路７６ｂを通って暖房用熱交換器１１４に流入する。バーナ循環復路７６ｂ内の６５℃の温水の熱が、暖房用熱交換器１１４に入力される。暖房用熱交換器１１４を通過して温度低下した温水は、バーナ循環復路７６ｂを経て貯湯タンク１４の上部に戻される。
ステップＳ７４では、暖房熱動弁１２０が開かれるとともに、暖房循環ポンプ１１６が駆動される。これによって、シスターン１００内の温水が、暖房循環往路１１２ａに送り出され、暖房用熱交換器１１４を通過する。このとき、暖房循環往路１１２ａ内の温水は、暖房用熱交換器１１４において加熱される。
ステップＳ７６では、暖房循環サーミスタ１１８の検出温度が６０℃となるように、暖房循環ポンプ１１６の駆動が調整される。暖房用熱交換器１１４において６０℃に加熱された暖房循環往路１１２ａ内の温水は、低温端末機（床暖房機）内を通過する。これによって上方の床材が温められる。低温端末機である暖房端末機１１０を通過して温度低下した温水は、暖房循環復路１１２ｂを経てシスターン１００に戻される。
【００４９】
ステップＳ７８では、コントローラ１４６によって、熱交換器出口サーミスタ９０の検出温度が、貯湯上限温度以上であるのか否かが判別される。コントローラ１４６は、熱交換器出口サーミスタ９０の検出温度が、貯湯上限温度以下であれば（ステップＳ７８でＹＥＳ）、ステップＳ８０の処理に進む。熱交換器出口サーミスタ９０の検出温度が、貯湯上限温度以下であれば（ステップＳ７８でＮＯ）、ステップＳ８２の処理に進む。
ステップＳ８０では、コントローラ１４６によって、バーナ７０の発熱量（即ち、バーナ７０のガス燃焼量）が減少されるとともに、バーナ循環流量サーボ８４の開度（即ち、バーナ循環経路７６を流れる温水の流量）が減少される。それにより、バーナ出口サーミスタ８８の検出温度を略一定に維持しながら、暖房用熱交換器１１４における温水の温度低下を増大させることによって、熱交換器出口サーミスタ９０の検出温度を低下させる。暖房用熱交換器１１４に流入する温水の温度は暖房規定温度に維持されるとともに、貯湯タンク１４に流入する温水の温度は低下する。
一方、ステップＳ８２では、コントローラ１４６によって、熱交換器出口サーミスタ９０の検出温度が、貯湯下限温度以下であるのか否かが判別される。コントローラ１４６は、熱交換器出口サーミスタ９０の検出温度が、貯湯下限温度以下であれば（ステップＳ８２でＹＥＳ）、ステップＳ８４の処理に進む。熱交換器出口サーミスタ９０の検出温度が、貯湯下限温度以上であれば（ステップＳ８２でＮＯ）、ステップＳ８６の処理に進む。
【００５０】
ステップＳ８４では、コントローラ１４６によって、バーナ７０の発熱量（即ち、バーナ７０のガス燃焼量）が増加されるとともに、バーナ循環流量サーボ８４の開度（即ち、バーナ循環経路７６を流れる温水の流量）が増加される。それにより、バーナ出口サーミスタ８８の検出温度を略一定に維持しながら、暖房用熱交換器１１４における温水の温度低下を減少させることによって、熱交換器出口サーミスタ９０の検出温度を上昇させる。暖房用熱交換器１１４に流入する温水の温度は暖房規定温度に維持されるとともに、貯湯タンク１４に流入する温水の温度は上昇する。
ステップＳ７８からステップＳ８４の処理によって、加熱運転中と同様に、バーナ部６８で加熱されて貯湯タンク１４に流入する温水の温度が、貯湯下限温度以上であって貯湯上限温度以下の範囲に維持される。なお、給湯リモコン１４８の電源が投入されていない場合は、貯湯下限温度や貯湯上限温度は設定されていないことから、ステップＳ７８からステップＳ８４の処理はスキップされる。
【００５１】
ステップＳ８６で暖房装置のリモコンのスイッチが操作されて、暖房のオフ信号が出力されるまでは、上記のステップＳ６４からステップＳ８６の処理が繰り返される。暖房のオフ信号が出力されたことが判別されると（ステップＳ８６でＹＥＳ）、暖房端末機１１０の運転停止要求があったとみなされる。ステップＳ８８に進み、バーナ７０が消火され、バーナ循環ポンプ８０が停止される。ステップＳ９０に進み、暖房熱動弁１２０が閉じられ、暖房循環ポンプ５６が停止されて暖房運転が終了する。
【００５２】
（風呂追焚き運転）
図９、図１０を参照して風呂の追焚き運転について説明する。図９は、追焚き運転におけるコージェネレーションシステムの動作の概要を示している。追焚き運転では、図９中に太線で示す経路内を温水が流通する。図１０は、追焚き運転のフローチャートである。図１０に示すフローに沿って、追焚き運転における処理の流れを説明する。
ステップＳ１００では、給湯リモコン１４８の風呂の追焚きスイッチが操作されて、追焚きのオン信号が出力されたか否かが判別される。追焚きのオン信号が出力されたことが判別されると（ステップＳ１００でＹＥＳ）、追焚き要求があったとみなされ、ステップＳ１０２の処理に進む。
ステップＳ１０２では、バーナ７０が点火され、バーナ循環ポンプ８０が駆動される。貯湯タンク１４の中間部の温水が、バーナ循環往路７６ａを経てバーナ部６８に送り出されて加熱される。
ステップＳ１０４では、バーナ出口サーミスタ８８の検出温度が、追焚き規定温度である８５℃となるように、バーナ７０の発熱量とバーナ循環流量サーボ８６の開度(即ち、バーナ循環経路７６を流れる温水の流量）が調整される。追焚き規定温度は、風呂の追焚き運転時に暖房用熱交換器１１４に供給すべき温水の温度であり、コントローラ１４６に予め教示されている。バーナ部６８で加熱されて８５℃となった温水は、バーナ循環復路７６ｂを通って暖房用熱交換器１１４に流入する。バーナ循環復路７６ｂ内の８５℃の温水の熱が、暖房用熱交換器１１４に入力される。暖房用熱交換器１１４を通過して温度低下した温水は、バーナ循環復路７６ｂを経て貯湯タンク１４の上部に戻される。
【００５３】
ステップＳ１０６では、追焚き熱動弁１２６が開かれるとともに、暖房循環ポンプ１１６が駆動される。これによって、シスターン１００内の温水が、暖房循環往路１１２ａに送り出され、暖房用熱交換器１１４を通過する。このとき、暖房循環往路１１２ａ内の温水は、暖房用熱交換器１１４において加熱される。
ステップＳ１０８では、暖房循環サーミスタ１１８の検出温度が８０℃となるように、暖房循環ポンプ１１６の駆動が調整される。暖房用熱交換器１１４において８０℃に加熱された暖房循環往路１１２ａ内の温水は、追焚き経路１２２に送り出され、風呂用熱交換器１２４を通過する。このとき、追焚き経路１２２内の約８０℃の温水の熱が、風呂用熱交換器１２４に入力される。風呂用熱交換器１２４を通過して温度低下した温水は、追焚き経路１２２を経て、シスターン１００に戻される。
ステップＳ１１０では、風呂循環ポンプ１３４が駆動される。これによって、浴槽１２８内の温水が、風呂循環往路１３０ａに送り出され、風呂用熱交換器１２４を通過する。このとき、風呂循環往路１３０ａ内の温水は、風呂用熱交換器１２４において加熱される。風呂用熱交換器１２４において加熱された風呂循環往路１３０ａ内の温水は、風呂循環復路１３０ｂを経て浴槽１２８に戻される。
【００５４】
ステップＳ１１２では、コントローラ１４６によって、熱交換器出口サーミスタ９０の検出温度が、貯湯上限温度以上であるのか否かが判別される。コントローラ１４６は、熱交換器出口サーミスタ９０の検出温度が、貯湯上限温度以下であれば（ステップＳ１１２でＹＥＳ）、ステップＳ１１４の処理に進む。熱交換器出口サーミスタ９０の検出温度が、貯湯上限温度以下であれば（ステップＳ１１２でＮＯ）、ステップＳ１１６の処理に進む。
ステップＳ１１４では、コントローラ１４６によって、バーナ７０の発熱量（即ち、バーナ７０のガス燃焼量）が減少されるとともに、バーナ循環流量サーボ８４の開度（即ち、バーナ循環経路７６を流れる温水の流量）が減少される。それにより、バーナ出口サーミスタ８８の検出温度は略一定のままで、暖房用熱交換器１１４における温水の温度低下を増大させることによって、熱交換器出口サーミスタ９０の検出温度を低下させる。暖房用熱交換器１１４に流入する温水の温度は追焚き規定温度に維持されるとともに、貯湯タンク１４に流入する温水の温度は上昇する。
一方、ステップＳ１１６では、コントローラ１４６によって、熱交換器出口サーミスタ９０の検出温度が、貯湯下限温度以下であるのか否かが判別される。コントローラ１４６は、熱交換器出口サーミスタ９０の検出温度が、貯湯下限温度以下であれば（ステップＳ１１６でＹＥＳ）、ステップＳ１１８の処理に進む。熱交換器出口サーミスタ９０の検出温度が、貯湯下限温度以上であれば（ステップＳ１１６でＮＯ）、ステップＳ１２０の処理に進む。
ステップＳ１１８では、コントローラ１４６によって、バーナ７０の発熱量（即ち、バーナ７０のガス燃焼量）が増加されるとともに、バーナ循環流量サーボ８４の開度（即ち、バーナ循環経路７６を流れる温水の流量）が増加される。それにより、バーナ出口サーミスタ８８の検出温度は略一定のままで、暖房用熱交換器１１４における温水の温度低下を低減させることによって、熱交換器出口サーミスタ９０の検出温度を上昇させる。暖房用熱交換器１１４に流入する温水の温度は暖房規定温度に維持されるとともに、貯湯タンク１４に流入する温水の温度は上昇する。
ステップＳ１１２からステップＳ１１８の処理によって、加熱運転中と同様に、バーナ部６８で加熱されて貯湯タンク１４に流入する温水の温度が、貯湯下限温度以上であって貯湯上限温度以下の範囲に維持される。なお、給湯リモコン１４８の電源が投入されていない場合は、貯湯下限温度や貯湯上限温度は設定されておらず、ステップＳ１１２からステップＳ１１８の処理はスキップされる。
【００５５】
ステップＳ１２０において、風呂循環サーミスタ１３８の検出温度が、追焚き設定温度となったことが判別されるまで、上記した制御が継続される。風呂循環サーミスタ１３８の検出温度が、追焚き設定温度となったことが判別されると（ステップＳ１２０でＹＥＳ）、浴槽１２８内の温水の温度が追焚き設定温度となったとみなされる。
ステップＳ１２２では、バーナ７０が消火され、バーナ循環ポンプ８０が停止される。次にステップＳ１２４に進み、追焚き熱動弁１２６が閉じられ、暖房循環ポンプ５６が停止される。さらにステップＳ１２６に進み、風呂循環ポンプ１３４が停止される。以上により、風呂の追焚き運転が終了する。
【００５６】
（風呂湯張り運転）
図１１、図１２を参照して風呂の湯張り運転について説明する。図１１は、湯張り運転におけるコージェネレーションシステムの動作の概要を示している。湯張り運転では、図１１中に太線で示す経路内を温水が流通する。図１２は、湯張り運転のフローチャートである。図１２に示すフローに沿って、湯張り運転における動作の流れを説明する。
ステップＳ１３０では、コントローラ１４６によって、給湯リモコン１４８から湯張りのオン信号が出力されたか否かが判別される。給湯リモコン１４８は、風呂の湯張りスイッチが操作されると、コントローラ１４６に湯張りのオン信号を出力する。コントローラ１４６は、湯張りのオン信号を入力すると（ステップＳ１３０でＹＥＳ）、ステップＳ１３２の処理に進む。
ステップＳ１３２では、コントローラ１４６によって、注湯電磁弁１４４が開かれるとともに、温水電磁弁５０が開かれる。それにより、貯湯タンク１４内の上部に貯められていた温水が給湯経路４６に送り出され、湯張り経路１４０、風呂循環経路１３０を経て、浴槽１２８内に供給される。
ステップＳ１３４では、コントローラ１４６によって、湯張り量センサ１４２の検出流量の積算が開始される。
【００５７】
ステップＳ１３６では、コントローラ１４６によって、バーナ部６８による加熱運転中であるのか否かが判別される。コントローラ１４６は、バーナ部６８による加熱運転中であると判断すると（ステップＳ１３６でＹＥＳ）、ステップＳ１３８の処理へ進む。一方、バーナ部６８による加熱運転中でないと判断すると（ステップＳ１３６でＮＯ）、ステップＳ１４４の処理に進む。
ステップＳ１３８では、コントローラ１４６によって、貯湯タンク１４内の熱量の単位時間当たりの変化量が計算される。このステップＳ１３８の処理は、図６に示した給湯運転におけるステップＳ２６の処理と同様に行なわれる。
ステップＳ１４０では、コントローラ１４６によって、ステップＳ１３８で計算した熱量変化量ｄＨが、正であるのか負であるのかが判別される。コントローラ１４６は、熱量変化量ｄＨが負であれば（ステップＳ１４０でＹＥＳ）、ステップＳ１４２の処理に進む。一方、熱量変化量ｄＨが正（厳密にはゼロ以上）であれば（ステップＳ１４０でＮＯ）、ステップＳ１４４の処理に進む。
ステップＳ１４２では、コントローラ１４６によって、バーナ７０の発熱量が増加される。それにより、加熱運転によって貯湯タンク１４に単位時間当たりに供給される供給熱量を増加させる。このステップＳ１４２におけるバーナ７０の発熱量の増加に伴って、図４に示す加熱運転の処理フローでは、必要に応じてバーナ循環経路７６を流れる温水の流量が増減調整される。
【００５８】
ステップＳ１４４では、コントローラ１４６によって、湯張り量センサ１４２の積算流量が湯張り設定水量であるか否かが判別される。コントローラ１４６は、湯張り量センサ１４２の積算流量が湯張り設定水量に満たなければ（ステップＳ１４４でＮＯ）、湯張りが完了していないと判断する。この場合、ステップＳ１３６へ戻り、ステップＳ１３６からステップＳ１４４までの処理を繰り返す。湯張り量センサ１４２の積算流量が湯張り設定水量となると（ステップＳ１４４でＹＥＳ）、コントローラ１４６は湯張りが完了したと判断し、ステップＳ１４６の処理に進む。
ステップＳ１４６では、コントローラ１４６によって、注湯電磁弁１４４が閉じられるとともに、温水電磁弁５０が閉じられる。以上により、湯張り運転は終了する。
【００５９】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
本実施例では、混合弁である混合サーボ３４を給水経路２４に設け、固定開口部３４ａから水道水を入力し、二つの連動開口部３４ｂ、３４ｃから出力する水道水の割合を調整することによって、給湯経路４６の温水に対して給水経路２４から混合する水道水の割合を調整する。この構成であると、混合サーボ３４に温水を流通させる必要がなく、混合サーボ３４に耐熱性が必要とされない。ただし、混合サーボ３４の配設位置はこの方式に限定されず、例えば給湯経路４６と混合経路３６の接続位置に配設してもよい。この場合、固定開口部３４ａには給湯経路４６の下流側を接続し、一方の連動開口部３４ｂには給湯経路４６の上流側を接続し、他方の連動開口部３４ｃには混合経路３６を接続すればよい。この構成を採用した場合であっても、上記した実施例の制御手順をそのまま採用することができる。
本明細書または図面に説明した技術要素は、単独であるいは各種の組み合わせによって技術的有用性を発揮するものであり、出願時請求項記載の組み合わせに限定されるものではない。また、本明細書または図面に例示した技術は複数目的を同時に達成するものであり、そのうちの一つの目的を達成すること自体で技術的有用性を持つものである。
【図面の簡単な説明】
【００６０】
【図１】コージェネレーションシステムの系統図。
【図２】蓄熱運転中の温水の流れを説明するための図。
【図３】加熱運転中の温水の流れを説明するための図。
【図４】加熱運転における処理を示すフローチャート。
【図５】給湯運転中の温水の流れを説明するための図。
【図６】給湯運転における処理を示すフローチャート。
【図７】暖房運転中の温水の流れを説明するための図。
【図８】暖房運転の処理を示すフローチャート。
【図９】風呂の追焚き運転中の温水の流れを説明するための図。
【図１０】風呂の追焚き運転の処理を示すフローチャート。
【図１１】風呂の湯張り運転中の温水の流れを説明するための図。
【図１２】風呂の湯張り運転の処理を示すフローチャート。
【符号の説明】
【００６１】
１０：給湯ユニット
１４：貯湯タンク
１６：第１タンクサーミスタ
１８：第２タンクサーミスタ
２０：第３タンクサーミスタ
２２：第４タンクサーミスタ
２４：給水経路
２６：減圧弁
２８：給水サーミスタ
３０：給水量センサ
３２：給水量サーボ
３４：混合サーボ
３６：混合経路
３８：排水経路
４０：排水弁
４２：圧力開放経路
４４：給湯栓
４６：給湯経路
４８：圧力逃し弁
５０：温水電磁弁
５２：高温サーミスタ
５４：出湯サーミスタ
５６：熱回収循環経路、５６ａ：循環往路、５６ｂ：循環復路
５８：熱回収循環ポンプ
５９：熱回収流量センサ
６０：循環往路サーミスタ
６２：循環復路サーミスタ
６４：三方弁、６４ａ：入口、６４ｂ：出口、６４ｃ：出口
６６：バイパス経路
６８：バーナ部
７０：バーナ
７２：潜熱熱交換器
７４：顕熱熱交換器
７６：バーナ循環経路、７６ａ：循環往路、７６ｂ：循環復路
７８：バイパス経路
８０：バーナ循環ポンプ
８１：バーナ入口サーミスタ
８２：バーナ循環流量センサ
８４：バーナ循環流量サーボ
８６：バーナバイパスサーボ
８８：バーナ出口サーミスタ
９０：熱交換器出口サーミスタ
９２：ドレン経路
９４：中和器
９８：オーバーフロー経路
１００：シスターン
１０２、２０２：シスターン給水経路
１０４：負圧弁
１０６：シスターン給水弁
１０８：熱負荷
１１０：暖房端末機
１１２：暖房循環経路、１１２ａ：循環往路、１１２ｂ：循環復路
１１４：暖房用熱交換器
１１６：暖房循環ポンプ
１１８：暖房循環サーミスタ
１２０：暖房熱動弁
１２２：追焚き経路
１２４：風呂用熱交換器
１２６：追焚き熱動弁
１２８：浴槽
１３０：風呂循環経路、１３０ａ：循環往路、１３０ｂ：循環復路
１３２：風呂水位センサ
１３４：風呂循環ポンプ
１３６：風呂水流スイッチ
１３８：風呂循環サーミスタ
１４０：湯張り経路
１４２：湯張り量センサ
１４４：注湯電磁弁
１４６：コントローラ
１４８：リモコン
１５０：発電ユニット
１５２：熱媒循環経路
１５４：熱回収用熱交換器
【図１】
2008045842.tif 000003
【図２】
2008045842.tif 000004
【図３】
2008045842.tif 000005
【図４】
2008045842.tif 000006
【図５】
2008045842.tif 000007
【図６】
2008045842.tif 000008
【図７】
2008045842.tif 000009
【図８】
2008045842.tif 000010
【図９】
2008045842.tif 000011
【図１０】
2008045842.tif 000012
【図１１】
2008045842.tif 000013
【図１２】
2008045842.tif 000014